【誤訳訂正書】
【提出日】平成29年1月12日(2017.1.12)
【誤訳訂正１】
【訂正対象書類名】特許請求の範囲
【訂正対象項目名】全文
【訂正方法】変更
【訂正の内容】
【特許請求の範囲】
【請求項１】
現在の操作指令を取得するステップ、
前記現在の操作指令に対応する予め設定された組合せ指令が存在するかどうかを判断するステップ、ここで前記予め設定された組合せ指令は、少なくとも２つの操作指令と、前記少なくとも２つの操作指令にそれぞれ対応する少なくとも２つの操作情報と、を備え、前記操作情報は、隣接する操作指令間の順番と隣接する操作指令間の遅延時間とを少なくとも含む、
前記予め設定された組合せ指令が存在し、前記予め設定された組合せ指令が選択された場合に、前記予め設定された組合せ指令における前記少なくとも２つの操作指令を対応するスマート家電に送信するステップ、
前記予め設定された組合せ指令が存在しない場合に、前記現在の操作指令を前記対応するスマート家電に送信するステップ、
を含み、
前記現在の操作指令に対応する前記予め設定された組合せ指令が存在するかどうかを判断するステップは、
前記現在の操作指令の前の履歴操作指令を取得するステップ、
前記履歴操作指令と前記現在の操作指令とを、複数の予め設定された組合せ指令にマッチさせるステップ、
複数のマッチング度の大きい順に従って、前記現在の操作指令に対応する前記予め設定された組合せ指令として、少なくとも１つの推奨組合せ指令を決定するステップ、ここで前記複数のマッチング度は、前記現在の操作指令と前記履歴操作指令の複数のマッチング度とに基づいて決定される、
前記少なくとも１つの推奨組合せ指令をローカルに表示するか、又は前記少なくとも１つの推奨組合せ指令を、表示するために前記操作指令を送信するように構成された端末に送信するか、又は前記少なくとも１つの推奨組合せ指令を、表示するために前記スマート家電のスクリーンに送信するステップ、
を含む、スマート家電の制御方法。
【請求項２】
更に、
前記現在の操作指令が複数の予め設定された組合せ指令から１つの予め設定された組合せ指令を選択することである場合に、前記１つの予め設定された組合せ指令における操作指令を前記対応するスマート家電に送信するステップ、
を含む、請求項１に記載の方法。
【請求項３】
前記現在の操作指令を取得するステップは、
携帯電話、又はスマートホームコンソールから送信された操作指令を受信するステップ、
を含む、請求項１または２に記載の方法。
【請求項４】
更に、
前記予め設定された組合せ操作指令が存在しない場合に、前記現在の操作指令と前記現在の操作指令の操作情報とを記録するステップ、
を含む、請求項１〜３のいずれか一項に記載の方法。
【請求項５】
更に、
停止操作指令を取得されたかどうか、又は前記操作指令の終了後の期間が予め設定された期間以上になっているかどうかを判断するステップ、
前記停止操作指令が取得された場合か、又は前記操作指令の終了後の前記期間が前記予め設定された期間以上になっている場合に、今回操作のあらゆる操作指令と前記今回操作のあらゆる操作指令の操作情報とを１つの組合せ指令として記録するステップ、
を含む、請求項４に記載の方法。
【請求項６】
前記予め設定された組合せ指令の前記操作指令又は前記現在の操作指令を前記対応するスマート家電に送信するステップは、
前記予め設定された組合せ指令における操作指令に対応する制御信号又は前記現在の操作指令に対応する制御信号を生成するステップ、
隣接する操作指令間の前記順番と隣接する操作指令間の前記遅延時間に基づいて、前記制御信号を前記対応するスマート家電に送信するステップ、
を含む、請求項１〜５のいずれか一項に記載の方法。
【請求項７】
現在の操作指令を取得するように構成された第１取得部、
前記現在の操作指令に対応する予め設定された組合せ指令が存在するかどうかを判断するように構成された第１判断部、ここで前記予め設定された組合せ指令は、少なくとも２つの操作指令と、前記少なくとも２つの操作指令にそれぞれ対応する少なくとも２つの操作情報と、を備え、前記操作情報は、隣接する操作指令間の順番と隣接する操作指令間の遅延時間とを少なくとも含む、
前記予め設定された組合せ指令が存在し、前記予め設定された組合せ指令が選択された場合に、前記予め設定された組合せ指令における前記少なくとも２つの操作指令を対応するスマート家電に送信するように構成された第１指令送信部、
前記予め設定された組合せ指令が存在しない場合、前記現在の操作指令を前記対応するスマート家電に送信するように構成された第２指令送信部、
を備え、
前記第１判断部は、
前記現在の操作指令の前の履歴操作指令を取得するように構成された第２取得サブユニット、
前記履歴操作指令と前記現在の操作指令とを、複数の予め設定された組合せ指令にマッチするように構成されたマッチングサブユニット、
複数のマッチング度の大きい順に従って、前記現在の操作指令に対応する前記予め設定された組合せ指令として、少なくとも１つの推奨組合せ指令を決定するように構成された決定サブユニット、ここで前記複数のマッチング度は、前記現在の操作指令と前記履歴操作指令の複数のマッチング度とに基づいて決定される、
前記少なくとも１つの推奨組合せ指令をローカルに表示するか、又は前記少なくとも１つの推奨組合せ指令を、表示するために前記操作指令を送信するように構成された端末に送信するか、又は前記少なくとも１つの推奨組合せ指令を、表示するために前記スマート家電のスクリーンに送信するように構成された表示サブユニット、
を備える、スマート家電の制御装置。
【請求項８】
更に、
前記現在の操作指令が複数の予め設定された組合せ指令から１つの予め設定された組合せ指令を選択することであるかどうかを判断するように構成された第２判断部、
前記現在の操作指令が複数の予め設定された組合せ指令から１つの予め設定された組合せ指令を選択することである場合に、前記１つの予め設定された組合せ指令における操作指令を前記対応するスマート家電に送信するように構成された第３指令送信部、
を備える、請求項７に記載の装置。
【請求項９】
前記第１取得部は、
携帯電話、又はスマートホームコンソールから送信された操作指令を受信するように構成された受信サブユニット、
を備える、請求項７または８に記載の装置。
【請求項１０】
更に、
前記予め設定された組合せ指令が存在しない場合に、前記現在の操作指令と前記現在の操作指令の操作情報とを記録するように構成された記録部、
を備える、請求項７〜９のいずれか一項に記載の装置。
【請求項１１】
更に、
停止操作指令が取得されたかどうか、又は前記操作指令の終了後の期間が予め設定された期間以上になっているかどうかを判断するように構成された第３判断部、
前記停止操作指令が取得された場合か、又は前記操作指令の終了後の前記期間が前記予め設定された期間以上になっている場合に、今回操作のあらゆる操作指令と前記今回操作のあらゆる操作指令の操作情報とを１つの組合せ指令として記録するように構成された組合せ指令記録部、
を備える、請求項１０に記載の装置。
【請求項１２】
前記第１指令送信部、前記第２指令送信部、又は前記第３指令送信部は、それぞれ
前記予め設定された組合せ指令における操作信号に対応する制御信号又は前記現在の操作信号に対応する制御信号を生成するように構成された制御信号生成サブユニット、
隣接する操作指令間の前記順番と隣接する操作指令の前記遅延時間に基づいて、前記制御信号を前記対応するスマート家電に送信するように構成された信号送信サブユニット、
を備える、請求項８に記載の装置。
【請求項１３】
前記第１指令送信部、又は前記第２指令送信部は、それぞれ
前記予め設定された組合せ指令に対応する制御信号又は前記現在の操作信号に対応する制御信号を生成するように構成された制御信号生成サブユニット、
隣接する操作指令間の前記順番と隣接する操作指令の前記遅延時間に基づいて、前記制御信号を前記対応するスマート家電に送信するように構成された信号送信サブユニット、
を備える、請求項７、９〜１１のいずれか一項に記載の装置。
【請求項１４】
コンピュータに請求項１〜６のいずれか一項に記載のスマート家電の制御方法を実行させるためのプログラム。
【請求項１５】
請求項１４に記載のプログラムを記録したコンピュータ読み取り可能な記録媒体。
【誤訳訂正２】
【訂正対象書類名】明細書
【訂正対象項目名】全文
【訂正方法】変更
【訂正の内容】
【発明の詳細な説明】
【発明の名称】スマート家電の制御方法、制御装置及び端末
【関連出願の説明】
【０００１】
本願は、２０１４年３月２４日に中華人民共和国の国家知識産権局に出願された中国特許出願第２０１４１０１１２３０７．０号に基づいて優先権を主張し、その利益を得るものであり、その全体の内容が参照により本明細書に援用されている。
【背景技術】
【０００２】
本開示は、概してスマートテレビの技術分野に関するものであり、より具体的には、スマート家電の制御方法、スマート家電の制御装置及び端末に関するものである。
【０００３】
スマートテレビは、フルオープンプラットフォームを有すると共に操作システムを備えており、ユーザが自由に様々な種類のアプリケーションソフトウェアをインストール又はアンインストールして、機能を拡張及び更新し続けることができる新しいテレビ製品である。そのため、スマートテレビは、ユーザに豊富な、パーソナライズされた体験を与え続けることができる。
【０００４】
スマートテレビの機能は、従来のテレビよりもさらに複雑になっており、スマートテレビの操作は、従来のテレビよりも難しく、かつ複雑になっている。スマートテレビを操作するために従来のリモートコントローラを使用する場合、それはかなり不便なものとなる。また、他のスマート家電、例えば、スマートエアコン等においても、同じ問題が生じている。
【発明の概要】
【０００５】
関連技術における問題を解決するために、スマート家電の制御方法、スマート家電の制御装置及び端末を提供する。
【０００６】
本開示の実施形態の第１態様によれば、
現在の操作指令を取得するステップ、
前記現在の操作指令に対応する予め設定された組合せ指令が存在するかどうかを判断するステップ、ここで前記予め設定された組合せ指令は、少なくとも２つの操作指令と、前記少なくとも２つの操作指令にそれぞれ対応する少なくとも２つの操作情報と、を備え、前記操作情報は、隣接する操作指令間の順番と隣接する操作指令間の遅延時間とを少なくとも含む、
前記予め設定された組合せ指令が存在し、前記予め設定された組合せ指令が選択された場合に、前記予め設定された組合せ指令における前記少なくとも２つの操作指令を対応するスマート家電に送信するステップ、
前記予め設定された組合せ指令が存在しない場合に、前記現在の操作指令を前記対応するスマート家電に送信するステップ、
を含む、スマート家電の制御方法が提供される。
【０００７】
前記第１態様の組合わせにおいて、前記第１態様の第１の可能な実施形態では、前記現在の操作指令が複数の予め設定された組合せ指令から１つの予め設定された組合せ指令を選択することである場合、前記方法は、更に、前記１つの予め設定された組合せ指令における操作指令を前記対応するスマート家電に送信するステップを含む。
【０００８】
前記第１態様の組合せにおいて、前記第１態様の第２の可能な実施形態では、前記現在の操作指令を取得するステップは、ローカルに入力された操作指令を取得するステップ、又は別の端末によって送信された操作指令を受信するステップ、を含む。
【０００９】
前記第１態様の組合せにおいて、前記第１態様の第３の可能な実施形態では、前記現在の操作指令に対応する前記予め設定された組合せ指令が存在するかどうかを判断するステップは、
前記現在の操作指令の前の履歴操作指令を取得するステップ、
前記履歴操作指令と前記現在の操作指令とを、複数の予め設定された組合せ指令とマッチさせるステップ、
複数のマッチング度の大きい順に従って、前記現在の操作指令に対応する前記予め設定された組合せ指令として、少なくとも１つの推奨組合せ指令を決定するステップ、ここで前記複数のマッチング度は、前記現在の操作指令と前記履歴操作指令の複数のマッチング度とに基づいて決定される、
前記少なくとも１つの推奨組合せ指令をローカルに表示するか、又は前記少なくとも１つの推奨組合せ指令を、表示するために前記操作指令を送信するように構成された端末に送信するか、又は前記少なくとも１つの推奨組合せ指令を、表示するために前記スマート家電のスクリーンに送信するステップ、
を含む。
【００１０】
前記第１態様の組合せにおいて、前記第１態様の第４の可能な実施形態では、前記方法は、更に、前記予め設定された組合せ指令が存在しない場合に、前記現在の操作指令と前記現在の操作指令の操作情報とを記録するステップ、を含む。
【００１１】
前記第１態様の前記第４の可能な実施形態の組合せにおいて、前記第１態様の第５の可能な実施形態では、前記方法は、更に、
停止操作指令が取得されたかどうか、又は前記操作指令の終了後の期間が予め設定された期間以上になっているかどうかを判断するステップ、
前記停止操作指令が取得された場合か、又は前記操作指令の終了後の前記期間が前記予め設定された期間以上になっている場合に、今回操作のあらゆる操作指令と前記今回操作のあらゆる操作指令の操作情報とを１つの組合せ指令として記録するステップ、
を含む。
【００１２】
前記第１態様、又は前記第１態様の前記第１の可能な実施形態において、前記第１態様の第６の可能な実施形態では、前記予め設定された組合せ指令の前記操作指令又は前記現在の操作指令を前記対応するスマート家電に送信するステップは、
前記予め設定された組合せ指令における操作指令に対応する制御信号又は前記現在の操作指令に対応する制御信号を生成するステップ、
隣接する操作指令間の前記順番と隣接する操作指令間の前記遅延時間に基づいて、前記制御信号を前記対応するスマート家電に送信するステップ、
を含む。
【００１３】
本開示の実施形態の第２態様によれば、スマート家電の制御装置が提供される。スマート家電の制御装置は、
現在の操作指令を取得するように構成された第１取得部、
前記現在の操作指令に対応する予め設定された組合せ指令が存在するかどうかを判断するように構成された第１判断部、ここで前記予め設定された組合せ指令は、少なくとも２つの操作指令と、前記少なくとも２つの操作指令にそれぞれ対応する少なくとも２つの操作情報と、を備え、前記操作情報は、隣接する操作指令間の順番と隣接する操作指令間の遅延時間とを少なくとも含む、
前記予め設定された組合せ指令が存在し、前記予め設定された組合せ指令が選択された場合に、前記予め設定された組合せ指令における前記少なくとも２つの操作指令を対応するスマート家電に送信するように構成された第１指令送信部、
前記予め設定された組合せ指令が存在しない場合、前記現在の操作指令を前記対応するスマート家電に送信するように構成された第２指令送信部、
を備える。
【００１４】
前記第２態様の組合せにおいて、前記第２態様の第１の可能な実施形態では、前記装置は、更に、前記現在の操作指令が複数の予め設定された組合せ指令から１つの予め設定された組合せ指令を選択することであるかどうかを判断するように構成された第２判断部、前記現在の操作指令が複数の予め設定された組合せ指令から１つの予め設定された組合せ指令を選択することである場合に、前記１つの予め設定された組合せ指令における操作指令を前記対応するスマート家電に送信するように構成された第３指令送信部、を備える。
【００１５】
前記第２態様の組合せにおいて、前記第２態様の第２の可能な実施形態では、前記第１取得部は、
ローカルに入力された操作指令を取得するように構成されたローカル入力サブユニット、又は
別の端末によって送信された操作指令を受信するように構成された受信サブユニット、
ト、
を備える。
【００１６】
前記第２態様の組合せにおいて、前記第２態様の第３の可能な実施形態では、前記第１判断部は、
前記現在の操作指令の前の履歴操作指令を取得するように構成された第２取得サブユニット、
前記履歴操作指令と前記現在の操作指令とを、複数の予め設定された組合せ指令にマッチするように構成されたマッチングサブユニット、
複数のマッチング度の大きい順に従って、前記現在の操作指令に対応する前記予め設定された組合せ指令として、少なくとも１つの推奨組合せ指令を決定するように構成された決定サブユニット、ここで前記複数のマッチング度は、前記現在の操作指令と前記履歴操作指令の複数のマッチング度とに基づいて決定される、
前記少なくとも１つの推奨組合せ指令をローカルに表示するか、又は前記少なくとも１つの推奨組合せ指令を、表示するために前記操作指令を送信するように構成された端末に送信するか、又は前記少なくとも１つの推奨組合せ指令を、表示するために前記スマート家電のスクリーンに送信するように構成された表示サブユニット、
を備える。
【００１７】
前記第２態様の組合せにおいて、前記第２態様の第４の可能な実施形態では、前記装置は、更に、前記予め設定された組合せ指令が存在しない場合に、前記現在の操作指令と前記現在の操作指令の操作情報とを記録するように構成された記録部を備える。
【００１８】
前記第２態様の前記第４の可能な実施形態の組合せにおいて、前記第２態様の第５の可能な実施形態では、前記装置は、更に、
停止操作指令が取得されたかどうか、又は前記操作指令の終了後の期間が予め設定された期間以上になっているかどうかを判断するように構成された第３判断部、
前記停止操作指令が取得された場合か、又は前記操作指令の終了後の前記期間が前記予め設定された期間以上になっている場合に、今回操作のあらゆる操作指令と前記今回操作のあらゆる操作指令の操作情報とを１つの組合せ指令として記録するように構成された組合せ指令記録部、
を備える。
【００１９】
前記第２態様、又は前記第１態様の第１の可能な実施形態の組合せにおいて、前記第２態様の第６の可能な実施形態では、前記第１指令送信部、前記第２指令送信部、又は前記第３指令送信部は、それぞれ
前記予め設定された組合せ指令における操作信号に対応する制御信号又は前記現在の操作信号に対応する制御信号を生成するように構成された制御信号生成サブユニット、
隣接する操作指令間の前記順番と隣接する操作指令の前記遅延時間に基づいて、前記制御信号を前記対応するスマート家電に送信するように構成された信号送信サブユニット、
を備える。
【００２０】
本開示の第３態様の実施形態は、端末を提供する。前記端末は、
プロセッサ、
前記プロセッサによって実行可能な命令を記憶するように構成されたメモリ、
を備え、
前記プロセッサは、
現在の操作指令を取得し、
前記現在の操作指令に対応する予め設定された組合せ指令が存在するかどうかを判断し、ここで前記予め設定された組合せ指令は、少なくとも２つの操作指令と、前記少なくとも２つの操作指令にそれぞれ対応する少なくとも２つの操作情報と、を備え、前記操作情報は、隣接する操作指令間の順番と隣接する操作指令間の遅延時間とを少なくとも含む、
前記予め設定された組合せ指令が存在し、前記予め設定された組合せ指令が選択された場合に、前記予め設定された組合せ指令における前記少なくとも２つの操作指令を対応するスマート家電に送信し、
前記予め設定された組合せ指令が存在しない場合に、前記現在の操作指令と前記現在の操作指令の操作情報とを記録する、
ように構成されている。
【００２１】
本開示の実施形態によって提供される技術解決策は、以下の有益な効果を有している。
【００２２】
ユーザによって現在の操作指令が入力された後、現在の操作指令に対応する予め設定された組合せ指令が存在するかどうかを判断することによって、予め設定された組合せ指令が存在し、予め設定された組合せ指令が選択された場合に、予め設定された組合せ指令における操作指令が、対応するスマート家電に直接送信される。
【００２３】
スマート家電を制御する方法を使用するとき、ユーザは、１つの操作指令を入力するか、又は少しの操作指令（ある機能を完了するために必要とされる全ての操作指令の数よりも少ない数の操作指令）を入力するだけで、予め設定された組合せ指令における全ての操作指令が自動的に送信され、ユーザが予め設定された組合せ指令における全ての操作指令を何度も入力することを避けることができる。したがって、全ての操作指令を繰り返して入力するための待機時間を減らし、操作の難易度を下げ、スマート家電の制御をより便利で簡単なものにすることができる。
【００２４】
前述の概要及び以下の詳細な説明は、例示及び説明するためだけのものであって、ここで記載されている本開示の内容に限定されることを示すものではないことを理解すべきである。
【００２５】
添付図面は、本明細書に組み込まれ、本明細書の一部を構成し、本開示とその説明に一致する実施形態を例示しており、本開示の原理を説明するのに役立つものである。
【図面の簡単な説明】
【００２６】
【図１】図１は、本開示の例示的な実施形態に係るスマート家電の制御方法を示すフローチャートである。
【図２】図２は、本開示の例示的な実施形態に係るスマート家電の制御方法を示すフローチャートである。
【図３】図３は、本開示の例示的な実施形態に係るスマート家電の制御方法を示すフローチャートである。
【図４】図４は、本開示の例示的な実施形態に係る端末のディスプレイインタフェースの概略図である。
【図５】図５は、本開示の例示的な実施形態に係るスマート家電の制御方法を示すフローチャートである。
【図６】図６は、本開示の例示的な実施形態に係る端末のディスプレイインタフェースの別の概略図である。
【図７】図７は、本開示の例示的な実施形態に係る状況を示す概略図である。
【図８】図８は、本開示の例示的な実施形態に係る別の状況を示す概略図である。
【図９】図９は、本開示の例示的な実施形態に係る別の状況を示す概略図である。
【図１０】図１０は、本開示の例示的な実施形態に係るスマート家電の制御するための装置を示すブロック図である。
【図１１】図１１は、本開示の例示的な実施形態に係るスマート家電の制御するための端末を示すブロック図である。
【発明を実施するための形態】
【００２７】
例示の実施形態、添付の図面に示されている例を参照して詳細に説明する。以下の説明は、添付の図面を参照する。添付図面において、特に説明がない限り、異なる図面における同一の符号は、同一の要素又は類似の要素を示している。例示的な実施形態として以下で説明されている実施例は、本発明と一致する全ての実施例を示したものではない。それよりも、それらは、添付の特許請求の範囲に記載される本発明に関連するいくつかの態様に一致する装置及び方法の単なる例示である。
【００２８】
図１は、本開示の例示的な実施形態に係るスマート家電を制御する方法を示すフローチャートである。図１を参照すると、スマート家電を制御する方法は、スマート家電又は端末に使用されてもよく、前記方法は以下のステップを含む。
【００２９】
ステップＳ１１０において、現在の操作指令が取得される。
【００３０】
操作指令は、スマート家電を制御するために使用される指令のことを言い、異なるスマート家電において、対応する操作指令がまったく同じものとはなっていない。例えば、スマートテレビにおいて、操作指令は、限定されるものではないが、電源オン指令、電源オフ指令、チャンネル切替指令、及び音量調整指令を含む。スマートエアコンにおいては、操作指令は、限定されるものではないが、電源オン指令、電源オフ指令、温度調整指令、及びモード調整指令を含む。
【００３１】
現在の操作指令を取得するとき、ユーザによって入力された操作指令は、ローカルに入力されることによって取得することができる。ローカルに入力するとは、スマート家電のボタンを介して入力された操作指令を受信することを言う。また、携帯電話、又はスマートホームコンソール（例えば、ワイヤレスコンソール、赤外線通信デバイス）などの別の端末によって送信された操作指令を受信することもできる。
【００３２】
ステップＳ１２０において、現在の操作指令に対応する予め設定された組合せ指令が存在するかどうかを判断する。
【００３３】
本開示の例示的な実施形態において、複数の予め設定された組合せ指令があり、それぞれの予め設定された組合せ指令は、少なくとも２つの操作指令と、少なくとも２つの操作指令にそれぞれ対応する少なくとも２つの操作情報とを含み、操作情報は、予め設定された組合せ指令に含まれる隣接する操作指令間の順番と予め設定された組合せ指令に含まれる隣接する操作指令間の遅延時間とを含む。また、操作情報は、順番と遅延時間に加えて他の情報を含むことができる。
【００３４】
予め設定された組合せ指令は、ユーザによって予め設定された複数の結合操作指令を含む組合せを言う。例えば、テレビがスタンバイ状態にあるとき、ユーザがＮｏ．１３のチャンネル数字を有するニュースチャンネル（ＣＣＴＶ１３）を見たい場合に、ユーザは通常「スタンバイ／オン」ボタンをクリックし、テレビの電源をオンにした後、「数字１」ボタンと「数字３」ボタンを順番にクリックする必要がある。メインメニューインタフェースがＴＶの電源をオンにした後に表示することが可能なセットトップボックスをユーザが使用する場合、ユーザは、更に、「退出」ボタンをクリックした後、「数字１」と「数字３」とを順番にクリックする必要がある。同時に、ＴＶをスタンバイ状態から直接ＣＣＴＶ１３に切り換えるためにクリックされる必要がある複数のボタンの順番は、１つの組合せ指令に記憶されていてもよい。例えば、「スタンバイ／オン」ボタン→「数字１」ボタン→「数字３」ボタンが１つの組合せ指令に記憶されていてもよいし、又は「スタンバイ／オン」ボタン→「退出」ボタン→「数字１」ボタン→「数字３」ボタンが１つの組合せ指令に記憶されていてもよい。スタンバイ状態からＣＣＴＶ１３に直接入力する必要があるとき、対応する予め設定された組合せ指令を選択することもできる。
【００３５】
操作情報における隣接する操作指令間の遅延時間は、主に従来のテレビの反応時間に関係しており、例えば、ユーザが「スタンドバイ／オン」ボタンをクリックした後、従来のテレビでは、スタンバイ状態から電源オン状態に移行するのに１〜３秒の時間がかかる。隣接する操作指令間の遅延時間が予め設定された組合せ指令に記録されていない場合、予め設定された組合せ指令における操作指令が３秒以内にすべて実行されるが、従来のテレビにおいて電源オンされてない状況になったり、又は、「数字１」ボタンのクリックと「数字３」ボタンのクリックとの間の時間間隔が比較的長いためにチャンネルＮｏ．１が入力されてしまう場合がある。したがって、隣接する操作指令間の遅延時間は、予め設定された組合せ指令の操作情報内に含まれてもよい。
【００３６】
ステップＳ１３０において、予め設定された組合せ指令が存在し、予め設定された組合せ指令が選択された場合、予め設定された組合せ指令における少なくとも２つの操作指令が、対応するスマート家電に送信される。
【００３７】
前記方法が端末に適用されるとき、端末は、スマート家電によって識別可能な無線信号を直接送信することができる。ある実施形態では、端末は、無線信号送信モジュールを備えており、端末は、予め設定された組合せ指令を、無線コンソール、例えば、家の中にある複数のスマート家電を制御するために使用される赤外線信号コンソールに送信してもよい。無線コンソールは、予め設定された組合せ指令を無線信号に変換し、その無線信号をスマート家電に送信してもよい。
【００３８】
スマート家電に適用するとき、前記方法は、スマート家電のプロセッサで実行され、プロセッサは、無線受信モジュールを介して現在の操作指令を受信でき、ステップＳ１３０での分析の後、予め設定された組合せ指令における少なくとも２つの操作指令を制御信号に変換し、その制御信号を、電気回路を介してスマート家電に送信することができる。
【００３９】
ステップＳ１４０において、予め設定された組合せ指令が存在しない場合、現在の操作指令が、対応するスマート家電に送信される。
【００４０】
予め設定された組合せ指令が存在しない場合、例えば、現在の操作指令が予め定義されていない場合、従来のリモートコントローラによってスマート家電を制御する方法と同様に、現在の操作指令をスマート家電に送信することができる。
【００４１】
本開示の実施形態に係るスマート家電の制御方法によれば、ユーザによって現在の操作指令が入力された後、現在の操作指令に対応する予め設定された組合せ指令が存在するかどうかを判断することによって、予め設定された組合せ指令が存在し、その予め設定された組合せ指令が選択された場合、予め設定された組合せ指令における操作指令が対応するスマート家電に直接送信される。
【００４２】
スマート家電を制御する方法を使用するとき、ユーザは、１つの操作指令、又は少しの操作指令（少しの操作指令の数は、ある機能を完了するのに必要とされる全ての操作指令の数よりも少ない）のみを必要とし、予め設定された組合せ指令におけるすべての操作指令が自動的に送信され、ユーザが予め設定された組合せ指令におけるすべての操作指令を何度も入力することを回避することができる。したがって、すべての操作指令を繰り返し入力するための待機時間を節約でき、操作の難易度を下げることができ、スマート家電の制御をより便利にかつ簡素化することができる。
【００４３】
図２は、本開示の例示的な実施形態に係るスマート家電を制御する方法のフローチャートである。図２を参照すると、方法は、以下のステップを含む。
【００４４】
ステップＳ２１０において、現在の操作指令が取得される。
【００４５】
ステップＳ２２０において、現在の操作指令の前の履歴操作指令が取得される。
【００４６】
ユーザが１つの操作指令を入力するとき、この操作のユーザの意図は、１つの操作指令では理解できないが、２つ又は複数の操作指令に基づいて実質的に決定することができる。例えば、ユーザによって入力される現在の操作指令が「数字３」ボタンをクリックすることである場合、「数字３」ボタンだけでユーザの意図を理解することはできない。しかしながら、「数字３」ボタンをクリックする前の履歴操作指令が「スタンバイ／オン」ボタンと「数字１」ボタンを順にクリックしている場合、この操作のユーザの意図が再生のためにチャンネルを選択している可能性がある。
【００４７】
ステップＳ２３０において、履歴操作指令と現在の操作指令が複数の予め設定された組合せ指令とマッチングされる。
【００４８】
マッチングする際、履歴操作指令と現在の操作指令との間の順番と履歴操作指令と現在の操作指令との間の遅延時間等に基づいて、履歴操作指令と現在の操作指令を、予め設定された組合せ指令における全ての操作指令と順にマッチングすることができる。マッチングは、ファジーマッチングであってもよく、例えば、操作指令間の順番は優先度を高くし、それによって順番が特定された場合にマッチしたとみなすこともでき、２つの隣接する指令間の遅延時間は、それほど考慮しない。
【００４９】
ステップＳ２４０において、複数のマッチング度の大きい順に従って、少なくとも１つの推奨組合せ指令が、現在の操作指令に対応する予め設定された組合せ指令として決定される。
【００５０】
複数のマッチング度は、現在の操作指令と履歴操作指令の複数のマッチング度とに基づいて決定される。
【００５１】
マッチング度は、操作指令間の順番と隣接する操作指令間の遅延時間との複数の優先順位に基づいて決定することができる。例えば、操作指令間の順番の優先順位は、隣接する操作指令間の遅延時間の優先順位よりも高くすることができ、それによってマッチングの際に、履歴操作指令と現在の操作指令との間の順番に基づいて、履歴操作指令と現在の操作指令が全ての予め設定された組合せ指令と時系列順にマッチングされ、複数のマッチング度の大きい順に従って、少なくとも１つの推奨組合せ指令を決定することができる。
【００５２】
例えば、履歴操作指令が「スタンバイ／オン」ボタンと「退出」ボタンを連続してクリックすることであり、現在の操作指令が「数字１」ボタンをクリックすることであると、少なくとも１つの推奨組合せ指令は、１）「スタンバイ／オン」ボタン→「退出」ボタン→「数字１」ボタン（チャンネルＮｏ．１のチャンネルを選択すること）、２）「スタンバイ／オン」ボタン→「退出」ボタン→「数字１」ボタン→「数字０」ボタンから「数字９」ボタンまでのうちいずれかのボタン（チャンネルＮｏ．１０−１９のいずれかのチャンネルを選択すること）、３）「スタンバイ／オン」ボタン→「退出」ボタン→「数字１」ボタン→「数字０」ボタンから「数字９」ボタンまでのうちいずれかのボタン→「数字０」ボタンから「数字９」ボタンまでのうちいずれかのボタン（チャンネルＮｏ．１００−１９９のいずれかのチャンネルを選択すること）であってもよい。
【００５３】
前述した推奨組合せ指令において、上述した１）と、２）と、３）との推奨組合せ指令のマッチング度が大きい順になっている。推奨組合せ指令の同じ種類において、優先順位は、数値の大きさに基づいて設定される。例えば、複数の第１ボタンが同じ数字である場合、より小さい数字を有する第２ボタンの優先順位は、それよりも大きい数字を有する第２ボタンの優先順位よりも高くすることができる。対応する実際の状況において、チャンネルＮｏ．１００に対応する推奨組合せ指令の優先順位をチャンネルＮｏ．１０５に対応する推奨組合せ指令の優先順位より高くすることができる。
【００５４】
推奨組合せ指令の数は、実際のニーズに応じて、ユーザが自由に設定することができる。例えば、推奨組合せ指令の数は、表示可能な推奨組合せ指令の数とすることもできるし、又は推奨組合せ指令の数は、固定数に設定することもできる。例えば、５個の推奨組合せ指令を常に表示することができ、推奨組合せ指令の数が５個よりも少ない場合、すべての推奨組合せ指令を表示することができる。
【００５５】
ステップＳ２５０において、少なくとも１つの推奨組合せ指令がローカルに表示されるか、少なくとも１つの推奨組合せ指令が、表示するために操作指令を送信するように構成された端末に送信されるか、又は少なくとも１つの推奨組合せ指令が、表示するためにスマート家電のスクリーンに送信される。
【００５６】
決定された後、少なくとも１つの推奨組合せ指令がローカルに表示されるか、又は少なくとも１つの推奨組合せ指令が、表示するために操作指令を送信するように使用される端末に送信される。例えば、少なくとも１つの推奨組合せ指令は、ユーザによって操作指令を入力するために使用される携帯電話等の端末に直接表示され、それによってユーザが少なくとも１つの推奨組合せ指令をすぐに簡単に理解することができる。あるいは、少なくとも１つの推奨組合せ指令がスマート家電のスクリーンに送信され、ユーザがスクリーンを見ることによって少なくとも１つの推奨組合せ指令を簡単に理解することができる。
【００５７】
ステップＳ２６０において、少なくとも１つの推奨組合せ指令のうち１つの指令が選択された場合、その１つの推奨組合せ指令における操作指令に基づいて、対応する制御信号が生成される。
【００５８】
ステップＳ２７０において、選択された推奨組合せ指令の隣接する操作指令間の順番と選択された推奨組合せ指令の隣接する操作指令間の遅延時間とに基づいて、対応する制御信号が対応するスマート家電に送信される。
【００５９】
本開示の例示的な実施形態において、取得された履歴操作指令と取得された現在の操作指令に基づいて、方法は、マッチング度に基づいて履歴操作指令と現在の操作指令とに類似する推奨組合せ指令を自動的に推奨することができる。例えば、方法は、ファジーな推奨機能を有しており、ユーザは、表示された少なくとも１つの推奨組合せ指令から１つの指令を選択することができ、それによって選択された推奨組合せ指令における操作指令を自動的に実行することができる。スマート家電を制御する方法は、取得された操作指令に基づいてファジーな推奨を実行することができ、ユーザは全ての予め設定された組合せ指令を覚える必要がなく、実際のニーズに応じて、ユーザによって入力された操作指令の一部に基づいて、少なくとも１つの推奨組合せ指令をユーザに推奨することができる、それによってスマート家電の制御が、より簡単に、より便利に、かつスマートにすることができる。
【００６０】
本開示の例示的な実施形態において、ステップＳ１２０又はステップＳ２６０で予め設定された組合せ指令が存在しない場合、更に、スマート家電を制御する方法は、図３に示すような以下のステップを含む。
【００６１】
ステップＳ３１０において、現在の操作指令と現在の操作指令の操作情報とが記録される。
【００６２】
予め設定された組合せ指令が存在しない場合、現在の操作指令と現在の操作指令の操作情報とが記録されてもよい。
【００６３】
本開示の実施形態において、ステップＳ３１０の後、図３に示すように、スマート家電を制御する方法は、更に、以下のステップを含む。
【００６４】
ステップＳ３２０において、停止操作指令が取得されたかどうかが判断されるか、又は操作指令の終了後の期間が、予め設定された期間以上になっているかどうかが判断される。
【００６５】
本開示の実施形態において、ユーザは、端末、リモートコントローラ、又はスマートテレビのボタンを使用して、インタフェースに入力する組合せ指令を入力することができる。例えば、ユーザは、ある項目（例えば、あるチャンネルへの切替）の選択を完了するために使用されるすべての操作指令を順番に入力することができ、最後に、ユーザはこの組合せ指令の記録を示すために停止操作指令を入力することができる。あるいは、組合せ指令を記録しているとき、入力された操作指令がリアルタイムでスマート家電に送信されることによって、記録された組合せ指令の正当性を確認できるようにユーザを支援することができる。また、ユーザは、端末、リモートコントローラ、又はスマートテレビのボタンを使用して、通常とおりに操作指令を入力することで、スマートテレビを制御できる。ある項目の選択を完了した後、さらに操作指令を入力しないと、操作指令の終了時点から計時し、前記操作指令の終了後の期間が予め設定された期間以上になったら、該当項目の選択処理が終了したと決める。
【００６６】
ステップＳ３３０において、停止操作信号が取得された場合、又は操作指令の終了後の期間が予め設定された期間以上になっている場合、今回操作のあらゆる操作指令と今回操作のあらゆる操作指令の操作情報とが１つの組合せ指令として記録され、それ以外の場合は、フローが終了する。
【００６７】
本開示の例示的な実施形態において、図４に示されるように、ＡＰＰが端末に表示されると共に、リモートコントローラ上の実際のボタンに対応する視覚ボタンの視覚インタフェースを表示するように構成されており、リモートコントローラ上の共通のボタンを視覚インタフェース上に表示することができる。ユーザは、視覚インタフェース上の視覚ボタンをクリックして、操作指令を入力することができる。そして、端末内に配置された赤外線信号送信機によって、又はネットワーク（例えば、ルータ）によって、操作指令をスマート家電に送信することができる。
【００６８】
実際のアプリケーションにおいて、ユーザは、ニーズに応じて、前もって別の予め設定された組合せ指令を入力することができ、その予め設定された組合せ指令に対応するコントロール（ウィジェット）を端末の視覚インタフェースに配置することができる。図５に示されるように、８個の予め設定された組合せ指令が視覚インタフェース上に配置されており、即ち、ＣＣＴＶ１、ＣＣＴＶ５、ＣＣＴＶ９、北京テレビ、湖南テレビ、浙江テレビ、フェニックステレビ、及び息子のお気に入りチャンネルが配置されている。それらのコントロールの名前は、通常、テレビチャンネルの名前に直接対応するものである。いくつかの実施形態において、コントロールの名前（図５に示されるように「息子のお気に入り」は、チャンネルの名前として使用できる）は、手動で入力することができる。
【００６９】
本開示の例示的な実施形態において、端末インタフェース上に示されるコントロールの数は制限されているので、複数の予め設定された組合せ指令を隠すためにドロップダウンメニューを使用することができ、かつ組み合わされたコントロール（組合せコントロール）を配置することができる。したがって、ユーザが組合せコントロールをクリックする場合、複数の予め設定された組合せ指令があるリストの形式で表示されるか、又は他の形式で表示され、それによってユーザが容易にオプションを作成することができる。
【００７０】
図５の組合せにおいて、本開示の実施形態に係るスマート家電を制御する方法が提供される。図６を参照すると、前記方法は、以下のステップを含む。
【００７１】
ステップＳ４１０において、現在の操作指令が取得される。
【００７２】
現在の操作指令は、ユーザによって作成された図５に示される複数の予め設定された組合せ指令に対応する複数のコントロールのための指令を言う。
【００７３】
ステップＳ４２０において、現在の操作指令が複数の予め設定された組合せ指令から１つの予め設定された組合せ指令を選択することであるかどうかを判断する。
【００７４】
ステップＳ４３０において、現在の操作指令が複数の予め設定された組合せ指令から１つの予め設定された組合せ指令を選択することである場合、その１つの予め設定された組合せ指令の操作指令が対応するスマート家電に送信され、それ以外の場合、フローが終了する。
【００７５】
本開示の実施形態に係るスマート家電の制御方法について、以下のあるアプリケーションを参照して説明する。
【００７６】
第１状況
図７を参照する。図７は、本開示の実施形態に係るスマート家電の状況の概略図である。図７に示すように、スマート家電は、端末１０１（例えば、図７に示されるような携帯電話、又は他の実施形態においては、タブレットＰＣ、コンピュータ等）とスマートテレビ１０２を含む。ある実施形態では、スマートテレビ１０２は、従来のテレビとすることもできるし（又は他の実施形態においては、冷蔵庫、エアコン等とすることもできる）、スマートテレビ１０２を制御するように構成された赤外線信号送信モジュールを端末１０１内に設けることができる。
【００７７】
第１状況では、スマートテレビを制御する方法は、以下のステップを含む。
【００７８】
ステップａ１において、端末は、ユーザによって入力された現在の操作指令を受信する。
【００７９】
ステップａ２において、端末は、現在の操作指令に対応する予め設定された組合せ指令が存在するかどうかを判断する。
【００８０】
ある家族メンバーのために、予め設定された組合せ指令を、その家族メンバーの端末に記録しておくことができる。例えば、予め設定された組合せ指令は、レコーディングなどの方法で端末に記録することができる。
【００８１】
更に、図４に示されるように、更に、ＡＰＰが端末に提供されると共に、リモートコントローラ上の実際のボタンに対応する視覚ボタンを含む視覚インタフェースを表示するように構成されており、リモートコントローラ上の共通のボタンを視覚インタフェース上に表示することができる。ユーザは、視覚インタフェース上の視覚ボタンをクリックして操作指令を入力することができる。その後、端末は、操作指令を赤外線信号に変換し、その赤外線信号をスマートテレビに送信することができる。
【００８２】
ステップａ３において、予め設定された組合せ指令が存在し、予め設定された組合せ指令が選択された場合、予め設定された組合せ指令における操作指令がスマートテレビに送信される。
【００８３】
ステップａ４において、予め設定された組合せ指令が存在しない場合、現在の操作指令がスマートテレビに送信される。
【００８４】
第２状況
図８を参照する。図８は、本開示の実施形態に係るスマート家電の別の状況の概略図である。図８に示されるように、スマート家電は、端末１０１（例えば、図８に示されるような携帯電話、又は他の実施形態においては、タブレットＰＣ、コンピュータ等）、スマートテレビ１０２、及びルータ１０３を含む。ある実施形態では、スマートテレビ１０２は、ネットワークに接続することができる。
【００８５】
第２状況では、スマート家電を制御する方法のステップは、操作指令が端末１０１によって直接送信される代わりに端末１０１からスマートテレビ１０２にルータ１０３を介して送信されることを除いて、第１状況のステップとほぼ同じである。
【００８６】
第１状況において前述したように、ある家族メンバーのために、予め設定された組合せ指令を端末１０１に記録することができる。本状況では、家族ではないメンバーのために、端末を介してスマートテレビを制御するように要求された場合、現在の組合せ指令をルータ１０３に記録することができる。そのため、家族ではないメンバーの端末１０１がルータ１０３に接続された場合、現在の組合せ指令をルータ１０３からダウンロードすることができる。更に、ルータ１０３を用いて現在の組合せ指令を記録することは、公共の場所、例えば、ホテルルーム、バー、及び人の移動が比較的多い他の場所に適している。
【００８７】
第３状況
第１状況では、赤外線信号送信モジュールを内部に配置した特定の端末が提供されている。第２状況では、スマートテレビがネットワークに接続されている。第１状況と第２状況では、ハードウェアの要求がより高くなっており、実際のアプリケーションにおける応用範囲が小さい。なぜならば、従来の装置に基づいて適用された場合、ハードウェアを改良する必要があり、それによってコストが高くなるからである。
【００８８】
図９を参照する。図９は、本開示の実施形態に係るスマート家電の更に別の状況の概略図である。図９に示されるように、スマート家電は、端末１０１（例えば、図９に示されるような携帯電話、又は他の実施形態においては、タブレットＰＣ、コンピュータ等）、スマートテレビ１０２、ルータ１０３、及び無線コンソール１０４を含む。ある実施形態では、スマートテレビ１０２は、従来のテレビとすることができる。無線コンソール１０４は、無線通信によって、又は有線通信によって、ルータ１０３とデータを交換することができ、端末１０１又はルータ１０３によって送信された操作指令を受信することができ、操作信号をスマート家電によって識別可能な信号、例えば、赤外線信号に変換して、スマート家電１０２に送信する。
【００８９】
技術の進歩に伴い、スマート家庭用機器は、ますます増えている。スマート家庭用機器を容易に管理するため、無線コンソール１０４が家の中に配置されていてもよく、それは赤外線信号を含む複数の無線信号を送信するために使用される。赤外線信号送信モジュールを含んでいない端末のために、スマートテレビは、無線コンソール１０４を介して制御されてもよい。
【００９０】
第３状況の場合、スマート家電を制御する方法のステップは、端末１０１が操作指令をスマートテレビ１０２に直接送信せず、ルータ１０３を介して無線コンソール１０４に操作指令を送信し、無線コンソール１０４が操作指令を赤外線信号に変換し、その赤外線信号をスマートテレビ１０２に送信することを除いて、第１状況のものとほぼ同じであってもよい。
【００９１】
第３状況において前述したように、本開示の実施形態に係る前記方法によれば、ユーザは、無線コンソール１０４を配置するだけで、従来のテレビを制御するのに従来の携帯電話を使用することができるため、スマート家電の応用範囲を比較的広くすることができる。
【００９２】
第４状況
第４状況では、更に、操作指令を受信するように構成されたプロセッサがスマートテレビ１０２に配置されてもよいし、端末１０１が従来のリモートコントローラであってもよい。第４状況では、スマートテレビを制御する方法は、以下のステップを含む。
【００９３】
ステップｂ１において、プロセッサは、ユーザによって入力された現在の操作指令を受信する。
【００９４】
プロセッサは、操作指令を受信するために、スマートテレビに含まれる無線受信モジュール、例えば、赤外線受信モジュールを使用することができる。
【００９５】
ステップｂ２において、プロセッサは、現在の操作指令に対応する予め設定された組合せ指令が存在するかどうかを判断する。
【００９６】
操作指令の分析処理がスマートテレビに含まれるプロセッサによって実行され、予め設定された組合せ指令がスマートテレビのプロセッサに記録される。
【００９７】
ステップｂ３において、予め設定された組合せ指令が存在し、その予め設定された組合せ指令が選択された場合、プロセッサは、予め設定された組合せ指令における操作指令をスマートテレビに送信する。
【００９８】
プロセッサは、電気回路によってスマートテレビと接続されており、プロセッサは、操作指令を電気信号に変換し、その電気信号をスマートテレビに送信する。
【００９９】
ステップｂ４において、予め設定された組合せ指令が存在しない場合、プロセッサは、現在の操作指令をスマートテレビに送信する。
【０１００】
図１０は、本開示の例示的な実施形態に係るスマート家電を制御する装置のブロック図である。図１０を参照すると、前記装置は、第１取得部１１、第１判断部１２、第１指令送信部１３、及び第２指令送信部１４を含む。
【０１０１】
第１取得部１１は、現在の操作指令を取得するように構成されている。
【０１０２】
第１判断部１２は、現在の操作指令に対応する予め設定された組合せ指令が存在するかどうかを判断するように構成されている。予め設定された操作指令は、少なくとも２つの操作指令と、その少なくとも２つの操作指令にそれぞれ対応する少なくとも２つの操作情報を含み、操作情報は、隣接する操作指令間の順番と隣接する操作指令間の遅延時間を少なくとも含む。
【０１０３】
第１指令送信部１３は、予め設定された組合せ指令が存在し、その予め設定された組合せ指令が選択された場合、予め設定された組合せ指令における少なくとも２つの操作指令を、対応するスマート家電に送信するように構成されている。
【０１０４】
第２指令送信部１４は、予め設定された組合せ指令が存在しない場合、現在の操作指令を対応するスマート家電に送信するように構成されている。
【０１０５】
本開示の例示的な実施形態では、更に、前記装置は、第２判断部と第３指令送信部を含む。
【０１０６】
第２判断部は、現在の操作指令が、複数の予め設定された組合せ指令から１つの予め設定された組合せ指令を選択することであるかどうかを判断するように構成されている。
【０１０７】
第３指令送信部は、現在の操作指令が複数の予め設定された組合せ指令から１つの予め設定された組合せ指令を選択することである場合、その１つの予め設定された組合せ指令における操作指令を対応するスマート家電に送信するように構成されている。
【０１０８】
本開示の例示的な実施形態では、第１取得部１１は、ローカル入力サブユニットと受信サブユニットを含む。
【０１０９】
ローカル入力サブユニットは、ローカルに入力された現在の操作指令を取得するように構成されている。
【０１１０】
受信サブユニットは、別の端末によって送信された操作指令を受信するように構成されている。
【０１１１】
本開示の実施形態では、第１判断部１２は、第２取得サブユニット、マッチングサブユニット、決定サブユニット、及び表示サブユニットを含む。
【０１１２】
第２取得サブユニットは、現在の操作指令の前の履歴操作指令を取得するように構成されている。
【０１１３】
マッチングサブユニットは、履歴操作指令と現在の操作指令を複数の予め設定された組合せ指令とマッチさせるように構成されている。
【０１１４】
決定サブユニットは、複数のマッチング度の大きい順に従って、現在の操作指令に対応する予め設定された組合せ指令として、少なくとも１つの推奨組合せ指令を決定するように構成されている。複数のマッチング度は、現在の操作指令と履歴操作指令の複数のマッチング度に基づいて決定される。
【０１１５】
表示サブユニットは、少なくとも１つの推奨組合せ指令をローカルに表示するか、又は少なくとも１つの推奨組合せ指令を、表示するために操作指令を送信するように構成された端末に送信するか、又は少なくとも１つの推奨組合せ指令を、表示するためにスマート家電のスクリーンに送信するように構成されている。第１指令送信部１３は、推奨組合せ指令が選択された場合、表示サブユニットによって表示された少なくとも１つの推奨組合せ指令のいずれかにおける操作指令を、スマート家電に送信することができる。
【０１１６】
本開示の例示的な実施形態では、更に、前記装置は、記録ユニットを含む。
【０１１７】
記録ユニットは、予め設定された組合せ指令が存在しない場合、現在の操作指令と現在の操作指令の操作情報を記録するように構成されている。
【０１１８】
本開示の実施形態では、更に、前記装置は、記録部に加えて、第３判断部と組合せ指令記録部を含む。
【０１１９】
第３判断部は、停止操作信号が取得されたかどうか、又は操作指令の終了後の期間が予め設定された期間以上になっているかどうかを判断するように構成されている。
【０１２０】
組合せ指令記録部は、停止操作指令が取得された場合か、又は操作指令の終了後の期間が予め設定された期間以上になっている場合、今回操作のあらゆる操作指令と今回操作のあらゆる操作指令の操作情報を、１つの組合せ指令として記録するように構成されている。
【０１２１】
本開示の例示的な実施形態では、第１指令送信部、第２指令送信部、又は第３指令送信部は、それぞれ制御信号生成サブユニットと信号送信サブユニットを含む。
【０１２２】
制御信号生成サブユニットは、予め設定された組合せ指令における操作指令に対応する制御信号、又は現在の操作信号に対応する制御信号を生成するように構成されている。
【０１２３】
信号送信サブユニットは、隣接する操作指令間の順番と隣接する操作指令間の遅延時間に基づいて、制御信号を対応するスマート家電に送信するように構成されている。
【０１２４】
前述した実施形態における前記装置において、各モジュールの具体的な動作については、前記方法に関連する実施形態の中で詳細に説明しているため、ここでは詳細な説明を省略する。
【０１２５】
図１１は、本開示の実施形態に係るスマート家電を制御する装置の端末８００のブロック図である。例えば、端末８００は、携帯電話、コンピュータ、デジタル放送端末、メッセージ送受信装置、ゲームコンソール、タブレットデバイス、医療機器、運動機器、携帯情報端末（ＰＤＡ）等であってもよい。
【０１２６】
図１１を参照すると、端末８００は、処理コンポーネント８０２、メモリ８０４、電源コンポーネント８０６、マルチメディアコンポーネント８０８、オーディオコンポーネント８１０、入力／出力（Ｉ／Ｏ）インタフェース８１２、センサコンポーネント８１４、及び通信コンポーネント８１６の１つ又は複数の構成要素を備えてもよい。
【０１２７】
処理コンポーネント８０２は、一般的に、表示、電話、データ通信、カメラ動作、及びレコーディング動作に関連する動作などの端末８００の全体の動作を制御するように構成されている。処理コンポーネント８０２は、上述した方法の全てのステップ又は一部のステップを実行するために、命令を実行するための１つ又は複数のプロセッサ８２０を備えてもよい。また、処理コンポーネント８０２は、１つ又は複数のモジュールを備え、それによって処理コンポーネント８０２と他のコンポーネントとの間で相互に通信できるようにしてもよい、例えば、処理コンポーネント８０２は、マルチメディアモジュールを備え、それによってマルチメディアコンポーネント８０８と処理コンポーネント８０２との間で相互に通信できるようにしてもよい。
【０１２８】
メモリ８０４は、端末８００の動作をサポートするために様々な種類のデータを記憶するように構成される。そのようなデータの例としては、端末８００上で動作するいくつかのアプリケーション又はいくつかの方法のための命令、連絡先データ、電話帳データ、メッセージ、写真、ビデオ等が含まれる。メモリ８０４は、任意のタイプの揮発性又は不揮発性メモリ装置、又はその組合わせを用いて構成されてもよく、例えば、スタティックランダムアクセスメモリ（ＳＰＲＡＭ）、電気的消去可能プログラマブルリードオンリーメモリ（ＥＥＰＲＯＭ）、消去可能プログラマブルリードオンリーメモリ（ＥＰＲＯＭ）、プログラマブルリードオンリーメモリ（ＰＲＯＭ）、リードオンリーメモリ（ＲＯＭ）、磁気メモリ、フラッシュメモリ、磁気ディスク又は光学ディスクなどを用いて構成されてもよい。
【０１２９】
電源コンポーネント８０６は、端末８００の様々なコンポーネントに電力を供給するように構成されている。電源コンポーネント８０６は、電源管理システム、１つ又は複数の電源、及び端末８００のための電力の生成、管理、及び分配に関連する他のコンポーネントを備えてもよい。
【０１３０】
マルチメディアコンポーネント８０８は、端末８００とユーザとの間に出力インタフェースを提供するように構成されるスクリーンを備えてもよい。ある実施形態では、スクリーンは、液晶ディスプレイ（ＬＣＤ）及びタッチパネル（ＴＰ）を備えてもよい。スクリーンがタッチパネルを備える場合、スクリーンは、ユーザから入力信号を受信するタッチスクリーンとして実現することができる。タッチパネルは、１つ又は複数のタッチセンサを含み、タッチパネル上でのタッチ、スワイプ、及びジェスチャーを検知する。タッチセンサは、タッチ又はスワイプ動作の境界を検知するだけでなく、タッチ又はスワイプ動作を行っている時間、及びタッチ又はスワイプ動作に関連する圧力を検知してもよい。ある実施形態において、マルチメディアコンポーネント８０８は、フロントカメラ及び／又はリアカメラを備える。フロントカメラ及び／又はリアカメラは、端末８００が撮影モード又はビデオモードなどの動作モードになっているとき、外部のマルチメディアデータムを受信してもよい。フロントカメラ及びリアカメラのそれぞれは、固定光学レンズシステムであってもよいし、又はフォーカス及び光学ズーム機能を有していてもよい。
【０１３１】
オーディオコンポーネント８１０は、オーディオ信号を出力する及び／又は入力するように構成される。例えば、オーディオコンポーネント８１０は、端末８００が通話モード、レコーディングモード、及び音声認識モードなどの動作モードになっているときに外部のオーディオ信号を受信するように構成されたマイクロフォン（「ＭＩＣ」）を備える。更に、受信したオーディオ信号は、メモリ８０４に記憶されてもよいし、又は通信コンポーネント８１６を介して送信されてもよい。ある実施形態において、オーディオコンポーネント８１０は、更に、オーディオ信号を出力するラウドスピーカーを備える。
【０１３２】
Ｉ／Ｏインタフェース８１２は、処理コンポーネント８０２と周辺インタフェースモジュールとの間を接続するインタフェースを提供するように構成されている。周辺インタフェースモジュールとしては、キーボード、クリックホイール、ボタンなどがある。ボタンは、限定されるものではないが、ホームボタン、ボリュームボタン、スタートボタン、及びロックボタンを備えてもよい。
【０１３３】
センサコンポーネント８１４は、１つ又は複数のセンサを備え、端末８００の様々な態様の状態評価を提供する。例えば、センサコンポーネント８１４は、装置のオン／オフ状態、端末８００のコンポーネント（例えば、表示スクリーン及びキーパッド）の相対位置、端末８００又は端末８００のコンポーネントの位置の変化、端末８００に接触するユーザの有無、端末８００の方向又は加速／減速、及び端末８００の温度の変化を検知してもよい。センサコンポーネント８１４は、いかなる物理的接触もすることなく近くの物体の存在を検知するように構成された近接センサを備えてもよい。更に、センサコンポーネント８１４は、画像アプリケーションで使用するために、ＣＭＯＳ又はＣＣＤイメージセンサなどの光センサを備えてもよい。ある実施形態において、センサコンポーネント８１４は、加速度センサ、ジャイロセンサ、磁気センサ、圧力センサ、又は温度センサを備えてもよい。
【０１３４】
通信コンポーネント８１６は、端末８００と他の装置との間の有線通信又は無線通信を可能にするように構成されている。端末８００は、ＷｉＦｉ、２Ｇ、又は３Ｇ、又はそれらの組合わせなどの標準規格に基づく無線ネットワークにアクセスすることができる。例示的な一実施形態において、通信コンポーネント８１６は、放送チャンネルを介して外部の放送管理システムから放送信号又は放送関連情報を受信する。別の例示的な一実施形態において、通信コンポーネント８１６は、更に、近距離無線通信（ＮＦＣ）モジュールを備え、短距離通信を可能にしている。例えば、ＮＦＣモジュールは、無線自動識別（ＲＦＩＤ）技術、赤外線通信協会（ＩｒＤＡ）技術、超広帯域（ＵＷＢ）技術、ブルートゥース（ＢＴ）技術、又は他の技術などに基づいて実現されてもよい。
【０１３５】
例示的な実施形態において、上述した方法を実施するため、端末８００は、特定用途向け集積回路（ＡＳＩＣ）、デジタル信号プロセッサ（ＤＳＰ）、デジタル信号処理デバイス（ＤＳＰＤ）、プログラマブル（プログラムで制御可能な）論理デバイス（ＰＬＤ）、フィールドプログラマブルゲートアレイ（ＦＰＧＡ）、コントローラ、マイクロコントローラ、マイクロプロセッサ、又は他の電子部品など１つ又は複数の電子的要素を用いて実現されてもよい。
【０１３６】
例示の実施形態において、更に、命令を含む非一時的なコンピュータ読み取り可能な記録媒体が提供される。命令を含む非一時的なコンピュータ読み取り可能な記録媒体とは、命令を含むメモリ８０４などである。命令は、上述した方法を実施するために、端末８００のプロセッサ８２０によって実行可能である。例えば、非一時的なコンピュータ読み取り可能な記録媒体は、ＲＯＭ、ＲＡＭ、ＣＤ−ＲＯＭ、磁気テープ、フロッピーディスク、光データ記憶装置などであってもよい。
【０１３７】
非一時的なコンピュータ読み取り可能な記録媒体が提供される。非一時的なコンピュータ読み取り可能な記録媒体における命令が携帯端末のプロセッサによって実行されると、携帯端末はスマート家電を制御する方法を実行することができる。前記方法は、現在の操作指令を取得するステップ、現在の操作指令に対応する予め設定された組合せ指令が存在するかどうかを判断するステップ、ここで予め設定された組合せ指令は、少なくとも２つの操作指令と、少なくとも２つの操作指令にそれぞれ対応する少なくとも２つの操作情報とを含み、操作情報は、隣接する操作指令間の順序と隣接する操作指令間の遅延時間を少なくとも含む、予め設定された組合せ指令が存在し、その予め設定された組合せ指令が選択された場合、予め設定された組合せ指令における少なくとも２つの操作指令を対応するスマート家電に送信するステップ、及び予め設定された組合せ指令が存在しない場合、現在の操作指令を対応するスマート家電に送信するステップ、を含む。
【０１３８】
当業者にとっては、本発明の他の実施形態は、ここで開示された本発明の明細書及び実施態様から明らかである。本願は、本発明の一般的原則に従い、かつ当該技術分野において知られ、又は慣行的に実施されている範囲内での本発明からの逸脱を含む、本開示の変形、使用、又は適用をカバーすることを意図している。明細書及び実施例は、例示的なもののみが考慮されているが、本発明の真の範囲及び精神は、以下の特許請求の範囲によって示されることが意図されている。
【０１３９】
本発明は、上述され、かつ添付の図面に示された厳密な構成に限定されるものではなく、本発明の範囲から逸脱することなく様々な修正及び変更が可能であることは明らかである。本発明の範囲は、添付の特許請求の範囲によってのみ限定されることが意図されている。